(57)【要約】【課題】  搬送路に沿って原稿を搬送する原稿搬送手段を備えた画像読取装置において、前記原稿搬送手段による原稿の搬送動作が停止した場合、前記搬送路内に何枚の原稿が残留しているかをユーザに報知する画像読取装置を提供する。【解決手段】  本発明に係る画像読取装置１は、搬送路１７に沿って原稿を搬送する原稿搬送手段１４と、前記搬送路１７の複数箇所で原稿の有無を各々検知する原稿有無検知手段２６乃至３０と、該手段の検知結果に基づき、前記搬送路１７内に存在する原稿の枚数を検出する原稿枚数検出手段１５と、前記原稿搬送手段１４による原稿の搬送動作が停止したとき、前記原稿枚数検出手段１５が検出した前記枚数に基づき、前記搬送路１７に残留する原稿の枚数を判断し、これを報知する残留枚数報知手段８と、を備えたことにある。【選択図】      図７
2005252785.tif 000002
【特許請求の範囲】
【請求項１】
搬送路に沿って原稿を搬送する原稿搬送手段と、前記搬送路の複数箇所で原稿の有無を各々検知する原稿有無検知手段と、該手段の検知結果に基づき、前記搬送路内に存在する原稿の枚数を検出する原稿枚数検出手段と、該手段が検出した前記枚数を報知する報知手段と、を備えたことを特徴とする画像読取装置。
【請求項２】
搬送路に沿って原稿を搬送する原稿搬送手段と、前記搬送路の複数箇所で原稿の有無を各々検知する原稿有無検知手段と、該手段の検知結果に基づき、前記搬送路内に存在する原稿の枚数を検出する原稿枚数検出手段と、前記原稿搬送手段による原稿の搬送動作が停止した場合、前記原稿枚数検出手段が検出した前記枚数に基づき、前記搬送路内に残留する原稿の枚数を判断し、その枚数を報知する残留枚数報知手段と、を備えたことを特徴とする画像読取装置。
【請求項３】
前記原稿搬送手段による原稿の搬送動作が停止した場合、前記原稿有無検知手段の検知結果に基づき、前記搬送路内に残留する原稿の位置を検出する原稿位置検出手段と、該手段が検出した前記位置を報知する原稿位置報知手段と、を備えたことを特徴とする請求項２記載の画像読取装置。
【請求項４】
原稿読取り中に、読取りが完了した原稿の枚数を検出する読取完了枚数検出手段と、該手段が検出した前記枚数を報知する読取完了枚数報知手段と、を備えたことを特徴とする請求項１乃至３いずれか記載の画像読取装置。
【発明の詳細な説明】
【技術分野】
【０００１】
本発明は、コピー機、ファクシミリ装置、イメージスキャナ等のように原稿の画像を読取る画像読取装置に関し、特に、ＡＤＦ（自動原稿搬送装置）のように原稿を自動的に搬送する手段を備えた画像読取装置に関するものである。
【背景技術】
【０００２】
搬送路に沿って原稿を搬送しつつ一方向の通紙により、その原稿の両面読取りを行う、いわゆる１パス両面画像読取装置がある。１パス両面画像読取装置の表面読取センサと裏面読取センサは、搬送路に沿って搬送される原稿の表面側及び裏面側にそれぞれ配置され、なお且つ、両読取センサは搬送路に沿って前後して配置されるため、スイッチバック式両面画像読取装置などと比べて、搬送路全体が長くなる。このため、１パス両面画像読取装置において、原稿のジャムが発生し、それが葉書サイズなどの搬送方向の長さが短い短冊原稿であると、搬送路内に２枚以上の原稿が残留することがある。
【０００３】
ところで、特許文献１には、原稿のジャム等の異常の発生により原稿の搬送動作が停止し、搬送路につまった原稿をとり除くべくユーザがＡＤＦのカバーを開けて、搬送路内に原稿を発見した場合、その原稿が表裏の何れの面を露出しているか、その原稿の読取りが終了しているか否か、をユーザに報知するスイッチバック式画像読取装置が開示されている。また、同文献には、複数枚の原稿が搬送路内に残留している場合、ユーザが発見した原稿が何頁目の原稿であるかを報知する技術も開示されている。
【特許文献１】特第２９８７０７５号公報
【発明の開示】
【発明が解決しようとする課題】
【０００４】
しかしながら、特許文献１を含めた従来の画像読取装置においては、ＡＤＦを利用した原稿読取り中に、原稿のジャム等の異常が発生した場合、ユーザがカバーを開けて、搬送路に存在する原稿を全て除去したつもりでも、ユーザの目の届かない箇所に残留している原稿が除去されずに見逃されることがあった。また、特許文献１の装置では、前述したように原稿の表裏の報知などは行われるものの、原稿読取り中に搬送路内に存在する原稿の枚数がユーザに報知されることはなかった。
【０００５】
本発明は、以上のような事情や問題点に鑑みてなされたものであり、原稿読取り中に、搬送路内に存在する原稿枚数をユーザが把握することができ、また、ＡＤＦによる原稿の搬送動作が停止した場合、搬送路内のどの位置に何枚の原稿が残留しているかをユーザが把握することができる、画像読取装置を提供することを目的とする。
【課題を解決するための手段】
【０００６】
上記目的を達成するための請求項１記載の画像読取装置は、搬送路に沿って原稿を搬送する原稿搬送手段と、前記搬送路の複数箇所で原稿の有無を各々検知する原稿有無検知手段と、該手段の検知結果に基づき、前記搬送路内に存在する原稿の枚数を検出する原稿枚数検出手段と、該手段が検出した前記枚数を報知する報知手段と、を備えたことにある。
【０００７】
請求項２記載の画像読取装置は、搬送路に沿って原稿を搬送する原稿搬送手段と、前記搬送路の複数箇所で原稿の有無を各々検知する原稿有無検知手段と、該手段の検知結果に基づき、前記搬送路内に存在する原稿の枚数を検出する原稿枚数検出手段と、前記原稿搬送手段による原稿の搬送動作が停止した場合、前記原稿枚数検出手段が検出した前記枚数に基づき、前記搬送路内に残留する原稿の枚数を判断し、その枚数を報知する残留枚数報知手段と、を備えたことにある。
【０００８】
請求項３記載の画像読取装置は、請求項２記載の画像読取装置において、前記原稿搬送手段による原稿の搬送動作が停止した場合、前記原稿有無検知手段の検知結果に基づき、前記搬送路内に残留する原稿の位置を検出する原稿位置検出手段と、該手段が検出した前記位置を報知する原稿位置報知手段と、を備えたことにある。
【０００９】
請求項４記載の画像読取装置は、請求項１乃至３記載のいずれかの画像読取装置において、原稿読取り中に、読取りが完了した原稿の枚数を検出する読取完了枚数検出手段と、該手段が検出した前記枚数を報知する読取完了枚数報知手段と、を備えたことにある。
【発明の効果】
【００１０】
請求項１の発明によれば、ユーザは原稿搬送手段の搬送路内に何枚の原稿が存在しているかを把握できる。
【００１１】
請求項２の発明によれば、ユーザは原稿のジャム等の異常により、原稿の搬送動作が停止した場合、何枚の原稿が搬送路に残留しているかを把握することができるので、搬送路からの原稿の除去などの復旧作業を行う際に、原稿を漏れなく除去することができる。
【００１２】
請求項３の発明によれば、請求項２の発明の効果に加え、ユーザは原稿が搬送路のどの位置に残留しているかを把握することができる。このため、１パス画像読取装置などのように搬送路が長く、ユーザがカバーを開くことによって視認できる範囲外に原稿が隠れていることがあっても、ユーザはそれを見逃すことなく除去することができるようになる。
【００１３】
請求項４の発明によれば、ユーザは原稿の読取完了枚数を把握できる。通常、複数枚からなる原稿をＡＤＦにより読取りを行っている最中にジャムが発生した場合、何頁目まで読取りが完了しているか判断し難いが、本発明によれば、それを容易に判断できる。このため、原稿の読取りを忘れたり、読取りが完了している原稿の読取りを再度行ったりすることを防止できる。
【発明を実施するための最良の形態】
【００１４】
以下、本発明の第１実施形態に係る画像読取装置１について、図面に基づいて説明する。なお、本実施形態においては、本発明に係る画像読取装置を複写機に適用した場合を例に挙げて説明するが、本発明はこれに限らず、ファクシミリ装置などの他の装置に適用できることはいうまでもない。
【００１５】
画像読取装置１は、図１に示すように、制御部（ＭＰＵ：Microprocessing Unit）２、原稿読取部３、コーデック４、画像メモリ５、記録部６、操作部７、表示部８、ＲＯＭ（Read Only Memory）９、及びＲＡＭ（Random Access Memory）１０を備えたものであって、各部２乃至１０は、バス１１によって通信可能に接続されている。
【００１６】
制御部（ＭＰＵ）２は、画像読取装置１の各部の動作を制御する制御手段として機能する。原稿読取部３は、原稿の表面画像を読取る表面画像読取センサ１２と、原稿の裏面画像を読取る裏面画像読取センサ１３と、原稿搬送手段である自動原稿搬送部（ＡＤＦ：Automatic Document Feeder）１４と、自動原稿搬送部１４により原稿が搬送される搬送路１７内の原稿の枚数及び位置を検出する原稿検出回路１５と、を具備している。
【００１７】
図２に示すように、自動原稿搬送部１４は、原稿トレイ１６に載置された原稿を１枚ずつ、給紙ローラ１８の駆動により、搬送路１７へと送り込み、第１搬送ローラ１９乃至第５搬送ローラ２３の駆動により、原稿を搬送路１７に沿って画像読取センサ１２、１３の方へ搬送する。そして、読取りが完了した原稿を排紙ローラ２４の駆動により搬送路１７内から排紙トレイ２５に排出する。
【００１８】
搬送路１７には、原稿の有無を検知する原稿有無検知手段としての役割を果たすセンサ２６乃至３０が適宜間隔をおいて複数箇所に設けられている。各センサ２６乃至３０は、原稿の有無を検知し、検知信号を原稿検出回路１５に出力する。本実施形態では、５個のセンサ（第１センサ２６乃至第５センサ３０）を設けているが、センサの数及び配置位置はこの限りではない。
【００１９】
原稿検出回路１５は、センサ２６乃至３０の原稿有無検知信号を各センサ毎に監視している。そして、各センサ２６乃至３０から１枚の原稿の通過を示す信号の変動が検出された場合、つまり、信号が無検知状態から有検知状態となり、再び無検知状態となった場合に、１枚の原稿が当該センサ上を通過したものとして判断する。また、原稿検出回路１５は、第２センサ２７上を通過した原稿の枚数と、第５センサ３０上を通過した原稿の枚数を計数しており、これらの差を算出することにより、搬送路１７内の原稿の枚数を検出する（原稿枚数検出手段）。更に、第５センサ３０上を通過した原稿の枚数を計数したものを、読取りが完了している原稿の枚数として検出する（読取完了枚数検出手段）。更にまた、原稿検出回路１５は、各センサ２６乃至３０からの検知信号に基づいて、搬送路１７内に残留している原稿の位置を検出する（原稿位置検出手段）。なお、制御部２による、原稿のジャムが発生しているか否かの判断は、ローラ１８乃至２４を駆動するステップモータの回転数から予定される搬送原稿の位置と原稿検出回路１５が検出した各センサ２６乃至３０における原稿の通過の有無に基づいて行われる。
【００２０】
コーデック４は、原稿読取部３から出力された画像データをＪＰＥＧ（Joint Photographic Experts Group）方式又はＭＨ（Modified Huffman）、ＭＲ（Modified Read）、ＭＭＲ（Modified Modified Read）方式等により順次圧縮符号化する。画像メモリ５は、原稿読取部３から出力された画像データやコーデック４において符号化された画像データ等を格納する。
【００２１】
記録部６は、画像メモリ５から読み出された画像データの画像を所定の用紙に記録するものである。この記録部６における記録方式としては、例えば、電子写真方式やインクジェット記録方式等の各種の記録方式を用いることができる。
【００２２】
操作部７は、原稿読取部３に原稿の読取開始を指示するためのスタートキー、コピー部数等を入力するためのテンキー、各種設定を行うためのカーソルキーなど、表示部８と連動した各種操作キーを備えている。表示部８は、各種の設定画面や画像読取装置１の動作状態などを文字や図形などで表示する液晶表示装置（ＬＣＤ：Liquid Crystal Display）等を備えている。
【００２３】
ＲＯＭ９は、制御部２によりこの画像読取装置１の各部の動作が制御されるための各種プログラムを格納している。ＲＡＭ１０は、画像読取装置１の処理動作に用いる設定情報や動作情報等の各種データを読出し及び書込み可能な状態で格納するメモリである。
【００２４】
上記のように構成された画像読取装置１において、自動原稿搬送部１４を使用した原稿の片面又は両面読取りが行われる場合の画像読取装置１の処理動作について、図３に示すフローチャートに基づいて説明する。なお、以下のフローチャートに基づいて説明する画像読取装置１の処理動作は、ＲＯＭ９に格納されている制御プログラムに基づいて制御部２が発行する命令に従って行われる。
【００２５】
操作部７のスタートキーが押下されること等による、読取開始命令があると（Ｓ１：ＹＥＳ）、原稿の読取りを開始し（Ｓ２）、原稿の読取り中に、制御部２は原稿のジャムが発生しているか否かを判断する（Ｓ３）。原稿のジャムが発生していないと判断すれば（Ｓ３：ＮＯ）、原稿検出回路１５は、搬送路１７内に存在する原稿及び読取りが完了している原稿の枚数を検出する（Ｓ４）。
【００２６】
そして、前記Ｓ４の検出結果に基づき、搬送路１７内に存在する原稿及び読取りが完了している原稿の枚数を報知する（Ｓ５）。例えば、図４に示すように、表示部８に、原稿の読取り中であることを報知するメッセージ、自動原稿搬送部１４を示す模式図、搬送路１７内に存在する原稿及び読取りが完了している原稿の枚数を表示する。これによって、ユーザは搬送路１７内に存在する原稿の枚数などの報知された情報を把握することができる。また、読取りが完了している原稿の枚数を把握することができるので、原稿の読取り忘れや、同じ原稿に対して２度の原稿の読取りを行うことを防止することができる。
【００２７】
原稿の読取りが終了して、原稿トレイ１６上の原稿がなくなれば、第１センサ２６が無検知状態となり、これにより制御部２は原稿の読取りが終了したと判断して、報知を終了する（Ｓ６）。
【００２８】
一方、前記Ｓ３において、原稿のジャムが発生したと判断した場合（Ｓ３：ＹＥＳ）、制御部２は全てのローラ１８乃至２４の搬送動作を停止して、原稿の搬送を停止する（Ｓ７）。次に、原稿検出回路１５は、搬送路１７内に残留する原稿の枚数、位置、及び読取りが完了している原稿の枚数を検出する（Ｓ８）。
【００２９】
そして、前記Ｓ８の検出結果に基づき、搬送路１７内に残留する原稿の枚数、位置、及び読取りが完了している原稿の枚数を、原稿が除去されて画像読取装置１が元の状態に回復されるまで報知する（Ｓ９、Ｓ１０）。例えば、図５に示すように、表示部８に、原稿のジャムが発生したことを報知するメッセージ、自動原稿搬送部１４の搬送路１７内に残留する原稿の位置を示す模式図、搬送路１７内に残留する原稿及び読取りが完了している原稿の枚数を表示する。これによって、ユーザは搬送路１７内に残留する原稿の枚数及び位置を的確に把握することができ、原稿の除去を行う際に、漏れなく原稿を除去することができる。
【００３０】
以下、本発明の第２実施形態に係る画像読取装置１Ａについて説明する。第２実施形態に係る画像読取装置１Ａは、第１実施形態に係る画像読取装置１と同様の構成及び機能を有するが、原稿のジャムが発生した場合に行う処理動作において相違する。以下、第１実施形態に係る画像読取装置１と共通する部分については同一符号を付してその説明を省略し、相違点のみを図６に示すフローチャートに基づいて説明する。
【００３１】
画像読取装置１Ａにおいて、原稿のジャムが発生した場合（Ｓ３：ＹＥＳ）、制御部２は、原稿のジャムが発生した位置を検出する（Ｓ１０１）。検出は、原稿検出回路１５が検出した各センサ２６乃至３０における原稿の通過の有無と、ステップモータの回転数とに基づいて行われる。例えば、原稿が第３センサ２８上を通過したときから、ステップモータの回転数が所定回転数に達するまでに、同原稿が第４センサ２９上に達したことが検出されなければ、それらのセンサ２８、２９の間で原稿のジャムが発生したと判断し、これを検出する。
【００３２】
次に、制御部２は、原稿のジャムが発生した位置に基づいて、ローラ１８乃至２４のうちの一部のローラの搬送動作を停止する（Ｓ１０２）。具体的には、原稿のジャムが発生した位置より上流側に位置するローラの搬送動作を停止し、ジャム発生位置より下流側に位置するローラの搬送動作を継続して、原稿ジャム発生位置より下流側にある原稿を排紙する。例えば、第３センサ２８と第４センサ２９の間で原稿のジャムが発生したと判断すると、第２搬送ローラ２０より上流側にある、給紙ローラ１８及び第１搬送ローラ１９の搬送動作を停止し、第２搬送ローラ２０より下流側にある第３搬送ローラ２１乃至第５搬送ローラ２３、及び排紙ローラ２４の搬送動作を継続して、原稿を排紙トレイ２５に排紙する。これにより、全てのローラ１８乃至２４を停止するより、搬送路１７内に残留する原稿の枚数を少なくすることができ、ユーザが原稿を除去する際の労力が軽減される。
【００３３】
次に、原稿検出回路１５は、搬送路１７内に存在する原稿の枚数、位置、及び読取りが完了している原稿の枚数を検出する（Ｓ１０３）。この処理動作は、搬送路１７内に存在する原稿の一部が排紙される前に行われる。
【００３４】
そして、前記Ｓ１０３で検出した搬送路１７内に存在する原稿の枚数に基づき、搬送路１７に残留する原稿の枚数を判断し、その枚数、搬送路１７内に残留する原稿の位置、及び読取りが完了している原稿の枚数を報知する（Ｓ１０４）。例えば、図７に示すように、表示部８に、原稿のジャムが発生したことを報知するメッセージ、自動原稿搬送部１４の搬送路１７内に残留する原稿の位置を示す模式図、搬送路１７内に残留する原稿及び読取りが完了している原稿の枚数を表示する。また、好ましくは、原稿ジャムが発生している位置に対応する図７の模式図のローラを反転して表示する。ここで、搬送路１７内に残留する原稿の枚数の判断は、前記Ｓ１０３で検出した搬送路１７内に存在する原稿の枚数と原稿のジャムが発生した後に排紙された原稿の枚数との差を算出することにより行われる。また、搬送路１７内に残留する原稿の位置については、原稿のジャムが発生した位置より上流側にある原稿の位置のみが報知される。また、読取りが完了している原稿の枚数については、原稿のジャムが発生したあとに排紙される原稿は、読取りが完了していないので、前記Ｓ１０３で検出した枚数が報知される。
【００３５】
上記ジャム発生後、原稿が除去されて画像読取装置１Ａが元の状態に回復されれば、報知を終了する（Ｓ１０５）。
【００３６】
なお、第２実施形態においては、Ｓ１０３において排紙前に検出された搬送路１７内に存在する原稿の枚数から、排紙枚数を差し引いた枚数を残留枚数としたが、排紙処理後に、原稿検出回路１５が搬送路１７内に存在する原稿枚数を検出し、これを残留枚数として報知するようにしてもよい。
【産業上の利用可能性】
【００３７】
本発明は、原稿の両面画像の読み取りを行うコピー機、イメージスキャナ等の画像読取装置に適用することができる。
【図面の簡単な説明】
【００３８】
【図１】本発明の第１実施形態に係る画像読取装置の構成例を示した図。
【図２】本発明の第１実施形態に係る画像読取装置の自動原稿搬送部を示す概略断面図。
【図３】本発明の第１実施形態に係る画像読取装置が原稿の読取りを行う際に実行する処理動作を示したフローチャート。
【図４】本発明の第１実施形態において、搬送路内に存在する原稿の枚数等を表示部に表示した状態の一例を示す図。
【図５】本発明の第１実施形態において、搬送路内に存在する原稿の枚数等を表示部に表示した状態の一例を示す図。
【図６】本発明の第２実施形態に係る画像読取装置が原稿の読取りを行う際に実行する処理動作を示したフローチャート。
【図７】本発明の第２実施形態において、搬送路内に存在する原稿の枚数等を表示部に表示した状態の一例を示す図。
【符号の説明】
【００３９】
１、１Ａ    画像読取装置
２    制御部
８    表示部
９    ＲＯＭ
１０  ＲＡＭ
１４  自動原稿搬送部
１５  原稿検出回路
１７  搬送路
【図１】
2005252785.tif 000003
【図２】
2005252785.tif 000004
【図３】
2005252785.tif 000005
【図４】
2005252785.tif 000006
【図５】
2005252785.tif 000007
【図６】
2005252785.tif 000008
【図７】
2005252785.tif 000009